(57)【要約】【課題】トローリング及びリトリーブ中において頭を下げない水平に近い姿勢を保ちつつ、潜行しながら動きの質は激しいウォブリング振動のシンキングバイブレーション機能を有し、なお且つ、激しい動きでも釣り糸がフロントフックやテールフックに絡まないバイブレーションルアーを提供する。【解決手段】小魚に似せたボディの背部に釣り糸を接続するアイを設け、胸部にフロントフックを取り付けるアイを、尾部にテールフックを取り付けるアイをそれぞれ突設したバイブレーションルアーにおいて、背部に背筋に沿った長穴の凹部を設け、凹部の中において前記背部のアイを内装して立設してあって、釣り糸が凹部内のアイに接続する部分を支点として、ボディの前頭面が前傾斜においてリトリーブ中に水の抵抗を受けるように構成した。【選択図】    図１
2007330183.tif 000002
【特許請求の範囲】
【請求項１】
小魚に似せたボディの背部に釣り糸を接続するアイを設け、胸部にフロントフックを取り付けるアイを、尾部にテールフックを取り付けるアイをそれぞれ突設したバイブレーションルアーにおいて、背部に背筋に沿った長穴の凹部を設け、凹部の中において前記背部のアイを内装して立設してあって、釣り糸が凹部内のアイに接続する部分を支点として、ボディの前頭面が前傾斜においてリトリーブ中に水の抵抗を受けるように構成したことを特徴とするバイブレーションルアー。
【請求項２】
アイのリングとしての抜ける方向を凹部の長手方向としての前後に向けてあることを特徴とする請求項１記載のバイブレーションルアー。
【発明の詳細な説明】
【技術分野】
【０００１】
この発明は、ルアーフィッシングに使用するシンキングタイプのバイブレーションルアーに関する。
【背景技術】
【０００２】
ルアーには、大まかにはスプーン、プラスチックルアー、スピナー、プラグ、ジグ等の種類があり、いずれも釣り糸の取付けについては、大概のものが先端（口先）である。例えば、プラグのうちのペンシルベイトやトップウォータでは、小魚に似せたボディの口許に釣り糸を接続するアイを突設し、腹部と尾部とにそれぞれフックを取り付けるアイが突設される。これによると、ルアーは、釣り糸で引かれる（リトリーブ）間は水面又はその近くを泳ぐように進む。これに対してシンキング機能を持たせたルアーは重量を重くしたものや、口許に潜行方向に突出するリップを取り付けた特異形状のミノーやクランクベイトのプラグも使用される。
【０００３】
バイブレーションルアーはリップがなく、背部に釣り糸を接続するアイを突設したもので（図４参照）、そのアイの位置等から前傾斜となる頭部で水の抵抗を受けて細かく振動する動きで周囲の魚にその存在を認知させている。しかし、シンキングタイプにするためには重量を確保し、突設したアイであるがゆえに、トローリング及びリトリーブ中は頭部が不自然なまでに下がる（尾部は尻上がりの）姿勢をとるようになる。また、その突設アイの位置からルアー全体の動きの質は細かな振動（ローリング）になってしまう（図４参照）。その結果、同じシンキングタイプのミノーと比べ、ルアー本体の水平姿勢と、ルアー本体の動きの質、大きい動き（ウォブリング）振動で劣る。
【発明の開示】
【発明が解決しようとする課題】
【０００４】
上記のように、従来のバイブレーションルアーは、背部のアイに釣り糸を取り付けることにより、前傾斜の不自然な姿勢でシンキング機能およびバイブレーション機能を得るようにしたものであったが、釣り糸の取り付け位置に起因して、殊に水中でのフォール時（落ちる時）にフロントフックやテールフックに釣り糸が絡むトラブルを招きやすいという不都合もあった。
【０００５】
この発明は、上記のような実情に鑑みて、トローリング及びリトリーブ中において頭を下げない水平に近い姿勢を保ちつつ、潜行しながら動きの質は激しいウォブリング振動のシンキングバイブレーション機能を有し、なお且つ、激しい動きでも釣り糸がフロントフックやテールフックに絡まないバイブレーションルアーを提供することを課題とした。
【課題を解決するための手段】
【０００６】
上記の課題を解決するために、この発明は、小魚に似せたボディの背部に釣り糸を接続するアイを設け、胸部にフロントフックを取り付けるアイを、尾部にテールフックを取り付けるアイをそれぞれ突設したバイブレーションルアーにおいて、背部に背筋に沿った長穴の凹部を設け、凹部の中において前記背部のアイを内装して立設してあって、釣り糸が凹部内のアイに接続する部分を支点として、ボディの前頭面が前傾斜においてリトリーブ中に水の抵抗を受けるように構成したことを特徴とするバイブレーションルアーを提供するものである。
【０００７】
バイブレーションルアーを上記のように構成したから、トローリング及びリトリーブ中に、釣り糸がアイに取り付けられているボディ内部の凹部が水の抵抗を受ける結果、頭部の下がる傾向が少なく水平に近い姿勢を保ち、凹部のアイはルアー本体の中心に近く凹部アイを支点とした安定した大きく激しいバイブレーション機能が得られる。
【発明の効果】
【０００８】
以上説明したように、この発明のバイブレーションルアーによれば、トローリング及びリトリーブ中において頭を下げない水平に近い姿勢を保ち、これが釣りの対象魚にとってより自然なエサ魚の姿勢に見える。しかも、バイブレーションプラグでありながらミノー系ルアーの水平方向の大きく激しい振動（ウォブリング）がだせ、より水を攪拌し周囲の釣りの対象魚にルアーの存在を知らしめる。なお且つ、釣り糸が凹部に規制されるため、フックに絡む不都合がなくなるという優れた効果がある。
【０００９】
また、請求項２によれば、アイが凹部の中にあってもその向きから、釣り糸の先又はスナック（留め金）を凹部の長穴に沿って移動することにより、アイに容易に引っかけることができる。
【発明を実施するための最良の形態】
【００１０】
次に、この発明の実施形態を図面に基づいて説明する。
【００１１】
図１ないし図３は一実施の形態を示したもので、そのバイブレーションルアーＲは、ボディ１をプラスチックにより魚の形態に形成し、その背部に凹部３を設け、凹部３内において釣り糸５を接続するリング形状のアイ７を突設し、胸部にフロントフック９を、尾部にテールフック１１を取り付けるアイ１３，１５がそれぞれ突設される。ボディ１の材質としては、プラスチックの他にアルミ等の金属、木等を使用でき、また、無垢とは限らなく、中空にしたり一部を空洞にしたり、重りを設けて釣り合いを調整することもある等ということはもちろんである。
【００１２】
凹部３は、ボディ１の長手方向に沿った長穴に形成したが、さらに長い溝状に、或いはさらに深い堀り状に形成することもある。アイ７は、横向きにしてそのリングが抜ける方向を凹部３の長手方向に向けてある（図３）。つまり、ボディ１に対して直角ないし横向きにしてある。このようにすると、凹部３内にアイ７が堀り込み状に内装してあっても、釣り糸５の取り付けが容易であって、その際に、片手（左手）でボディ１を摘みながら、他方の手で釣り糸５をアイ７に素早く通すことができる（図２）。釣り糸５をスナップ１４（留め金）でアイ７に引っかける場合もその操作を容易になしうる（図１）。
【００１３】
したがって、凹部３が釣り糸５を取り付ける障害にならないだけでなく、凹部３の長穴が釣り糸５のガイドとなるので、アイ（７ａ）が外へ突出されている従来の場合（図４）に比しても釣り糸５の取り付けが格段に容易となる。
【００１４】
釣り糸５がアイ７に対して掛かる部分は、水の抵抗を受ける支点Ｐと見ることができるが、その支点Ｐがボディ１の内部にあるために、トローリング及びリトリーブによって頭部が下がらない水平に近い状態が得られる。これが普通の魚の泳ぎに近いために、対象魚に対して警戒心を起こさせない。
【００１５】
しかし、この水平姿勢において、頭部上の前頭面８が前に傾斜している。そこで、この前頭面８が言わばリップの役目を果たすために、トローリング及びリトリーブに伴う水の抵抗でシンキング機能が得られる。そのため、ミノールアーと同じように水中を潜行しながら水平に進行するが、リップが無いので小魚として見られやすい。
【００１６】
また、この前頭面８で水の抵抗を受けることにより、支点Ｐを中心に振動するが、振動しやすく支点Ｐがボディ１の内部に存在するために大きく激しい振動となる。したがって、前頭面８は、水の抵抗を受けやすく前傾斜においてできるだけ広く形成することが望ましい。ちなみに、従来のバイブレーションルアーＲａ（図４）では、支点Ｐａが外にあるために、比較的小刻みなローリング振動となっていた。
【００１７】
以上から、本実施形態のバイブレーションルアーＲは、リップという特異な形状をとることなく、小魚の自然な姿勢を保ちつつ潜行でき、且つ、大きく激しい振動が得られたものである。また、支点Ｐがボディ１内にあると、振動に乱れがなくなり、しかも、ローリングアクションばかりでなくウォブリングアクションも得られる。
【図面の簡単な説明】
【００１８】
【図１】この発明のバイブレーションルアーを示す斜視図である。
【図２】同バイブレーションルアーの縦断面図である。
【図３】同バイブレーションルアーの要部横断面図である。
【図４】従来例のバイブレーションルアーを示す側面図である。
【符号の説明】
【００１９】
Ｒ  バイブレーションルアー
１  ボディ
３  凹部
５  釣り糸
７  釣り糸を接続するアイ
８  前頭面
９  フロントフック
１１  テールフック
１３，１５  アイ
【図１】
2007330183.tif 000003
【図２】
2007330183.tif 000004
【図３】
2007330183.tif 000005
【図４】
2007330183.tif 000006